(57)【要約】 【課題】  車椅子に着座した入浴者を入浴させる際に、入浴者の臀部及び大腿部の裏側を入浴させることができる入浴装置を提供することを目的としている。【解決手段】  車椅子２に着座した入浴者Ａを車椅子２ごと閉塞する浴槽３が備えられている入浴装置１において、浴槽３内には、浴槽３内に配置された車椅子２のうち少なくとも座席部２ａを内部に嵌入させる小浴槽４が備えられている。【選択図】      図１
2005111047.tif 000002
【特許請求の範囲】
【請求項１】
車椅子に着座した入浴者を該車椅子ごと閉塞する浴槽が備えられている入浴装置において、
前記浴槽内には、該浴槽内に配置された前記車椅子のうち少なくとも座席部を内部に嵌入させる小浴槽が備えられていることを特徴とする入浴装置。
【請求項２】
請求項１記載の入浴装置において、
前記小浴槽の中に湯を供給する湯溜め手段が備えられていることを特徴とする入浴装置。
【請求項３】
請求項１または２記載の入浴装置において、
前記小浴槽内に配置された前記入浴者の身体の一部を洗い流す洗流手段が備えられていることを特徴とする入浴装置。
【請求項４】
請求項１から３のいずれか記載の入浴装置において、
前記小浴槽を鉛直方向に回転させる回転機構が備えられていることを特徴とする入浴装置。
【請求項５】
請求項１から４のいずれか記載の入浴装置において、
前記小浴槽の前端部には、凹状の欠き込み部が形成されていることを特徴とする入浴装置。
【発明の詳細な説明】
【技術分野】
【０００１】
本発明は、車椅子に着座した入浴者を車椅子に乗せたままの状態で入浴させる入浴装置に関する。
【背景技術】
【０００２】
従来は、車椅子に着座した入浴者を入浴させる入浴装置としては、車椅子に着座した入浴者を車椅子ごと閉塞する浴槽に湯が噴射する複数の噴射ノズルを配設されているシャワー式の入浴装置がある。この入浴装置によれば、複数の噴射ノズルから浴槽内の入浴者の身体に向けて湯が噴射されるため、入浴者は車椅子に着座したままの状態で入浴することができる（例えば、特許文献１参照。）。
【特許文献１】特開２０００−３４２６４７号公報  （第３−４頁、第７図）
【発明の開示】
【発明が解決しようとする課題】
【０００３】
しかしながら、上記した従来の入浴装置では、車椅子に着座した入浴者は、胸部、腹部、腕部及び大腿部の裏側を除いた脚部に噴射ノズルから噴射される湯（シャワー）を浴びることができるが、臀部及び大腿部の裏側については噴射ノズルから噴射される湯を浴びることができないという問題が存在する。入浴者の背中については、従来の入浴装置でも入浴者の上半身を前方へ倒して背中を車椅子の背もたれから離すことでシャワーを浴びることができるが、臀部及び大腿部の裏側については多少動かしてもシャワーを浴びることができない。
【０００４】
本発明は、上記した従来の問題が考慮されたものであり、車椅子に着座した入浴者を入浴させる際に、入浴者の臀部及び大腿部の裏側を入浴させることができる入浴装置を提供することを目的としている。
【課題を解決するための手段】
【０００５】
請求項１記載の発明は、車椅子に着座した入浴者を該車椅子ごと閉塞する浴槽が備えられている入浴装置において、前記浴槽内には、該浴槽内に配置された前記車椅子のうち少なくとも座席部を内部に嵌入させる小浴槽が備えられていることを特徴としている。
このような特徴により、座席部が小浴槽内に嵌入されるため、座席部上の入浴者の臀部及び大腿部の裏側等の身体の一部は小浴槽内に配置される。
【０００６】
請求項２記載の発明は、請求項１記載の入浴装置において、前記小浴槽の中に湯を供給する湯溜め手段が備えられていることを特徴としている。
このような特徴により、入浴者の臀部及び大腿部の裏側等の身体の一部が配置された小浴槽内に湯が溜められ、入浴者の臀部及び大腿部の裏側等の身体の一部は小浴槽内の湯に浸けられる。
【０００７】
請求項３記載の発明は、請求項１または２記載の入浴装置において、前記小浴槽内に配置された前記入浴者の身体の一部を洗い流す洗流手段が備えられていることを特徴としている。
このような特徴により、小浴槽内に配置された入浴者の臀部及び大腿部の裏側等の身体の一部は、洗い流される。
【０００８】
請求項４記載の発明は、請求項１から３のいずれか記載の入浴装置において、前記小浴槽を鉛直方向に回転させる回転機構が備えられていることを特徴としている。
このような特徴により、小浴槽が鉛直方向に回転することで、小浴槽に嵌合された座席部は鉛直方向に回転されて車椅子は傾斜される。
【０００９】
請求項５記載の発明は、請求項１から４のいずれか記載の入浴装置において、前記小浴槽の前端部には、凹状の欠き込み部が形成されていることを特徴としている。
このような特徴により、小浴槽内に座席部が嵌入された際には、欠き込み部内に座席部の前端が噛合される。
【発明の効果】
【００１０】
本発明に係る入浴装置によれば、浴槽内には、浴槽内に配置された車椅子のうち少なくとも座席部を内部に嵌入させる小浴槽が備えられているため、座席部上の入浴者の臀部及び大腿部の裏側は小浴槽内に配置され、入浴者の臀部及び大腿部の裏側を入浴させることができる。
【発明を実施するための最良の形態】
【００１１】
以下、本発明に係る入浴装置の実施の形態について、図面に基いて説明する。
【００１２】
図１は入浴装置１の断面図である。図１に示すように、入浴装置１は、入浴者Ａを車椅子２に着座させたままの状態で入浴させるための装置であり、浴室内の床面Ｓ上に配置されている。入浴装置１は、入浴者Ａを車椅子２ごと閉塞する浴槽３と、浴槽３内に配置された車椅子２の座席部２ａを内部に嵌入させる小浴槽４と、浴槽３内に湯を放射させるシャワー機構５と、小浴槽４内に湯を供給する湯溜め手段６と、小浴槽４内に配置された入浴者Ａの臀部及び大腿部の裏側を洗い流す洗流手段７と、小浴槽４を鉛直方向に回転させる回転機構８とから構成されている。
【００１３】
図２は入浴装置１の平面図である。図１、図２に示すように、浴槽３は、観音開きに開閉される前端の前壁部９と、内部が中空に形成されている後端の後壁部１０と、両側端の側壁部１１と、対向する側壁部１１上部の間に形成されて観音開きに開閉される上蓋部１２とから構成されている。後壁部１０及び側壁部１１の下部には、複数の脚部１３ａを有する基台１３が形成されており、後壁部１０及び側壁部１１はそれぞれ基台１３に支持されている。また、前壁部９は側壁部１１の前方側の端部にヒンジ１４ａを介して取り付けられており、上蓋部１２は側壁部１１の上方側の端部にヒンジ１４ｂを介して取り付けられている。
【００１４】
図３は小浴槽４の斜視図である。図１、図４に示すように、小浴槽４は、矩形の底部１５と、底部１５の前端に垂直に立設された前端部１６と、底部１５の後端に斜め後方に立設された後端部１７と、底部１５の両側端にそれぞれ垂直に立設された側端部１８とが一体成形された構成からなっている。底部１５の後端上面に排水溝１９が形成されており、排水溝１９の中央付近には排水孔２０が形成されている。排水孔２０は底部１５を貫通する貫通管２１を介して小浴槽４の下方に配置されたフレキシブルなジャバラ管からなる排水管２２の一端に接続されており、排水管２２の他端は床面Ｓ上に配置されている。底部１５の上面四隅にはゴム等の弾性材料からなる緩衝材２３がそれぞれ配設されている。
【００１５】
また、小浴槽４の前端部１６には、車椅子２の座席部２ａより若干幅が広い凹状の欠き込み部１６ａが形成されており、欠き込み部１６ａの内側面には樹脂材料からなるシール材２４が欠き込み部１６ａの切り口に沿って形成されている。また、後端部１７は前端部１６よりも上方に長く形成され、側端部１８の上端辺は前方に向かって斜め下方に傾斜されており、小浴槽４の上端は前方に向かって斜め下方に傾斜した形状に形成されている。
【００１６】
図４は入浴装置１の平断面図である。図１、図４に示すように、シャワー機構５は、浴槽３の内側面に配設された複数の噴射ノズル２５と、中空の後壁部１０の内部に配置された給湯器２６と、後壁部１０の内部に配置されて給湯器２６によって加熱された湯を噴射ノズル２５に送り出す圧送ポンプ２７とから構成されている。複数の噴射ノズル２５は浴槽３内に入れられる入浴者Ａの胸部、背中部、腹部、腕部又は脚部に向けてそれぞれ設けられており、噴射ノズル２５と圧送ポンプ２７とは図示せぬ給湯配管を介して接続されている。圧送ポンプ２７は接続配管２８を介して給湯器２６に接続されており、湯の温度や水圧を調節し、或いはオンオフを切り換える噴射ノズル２５、給湯器２６及び圧送ポンプ２７を操作する操作部２９は後壁部１０の上端表面に形成されている。
【００１７】
図１に示すように、湯溜め手段６は、後壁部１０の前端面に設けられたカラン３０と、上記した給湯器２６とから構成されている。カラン３０は給湯器２６に図示せぬ給湯配管を介して接続されており、給湯器２６で加熱された湯はカラン３０の先端から放出される。く字状に屈曲したカラン３０の先端は回転可能に形成されており、小浴槽４の後端部１７とカラン３０の先端とが干渉することがないように、小浴槽４が回転機構８によって回転して小浴槽４の後端部１７が下方に移動したときにはカラン３０の先端は下方に向けられ、それ以外のときにはカラン３０の先端は上方に向けられている。
【００１８】
図１、図３に示すように、洗流手段７は、小浴槽４内に湯を放射させる小浴槽内暗流機構３１と、湯溜め手段６により湯が溜められた小浴槽４内にバブルを発生させる小浴槽内バブル機構３２とから構成されている。小浴槽内暗流機構３１は、小浴槽４の後端部１７の内側面に設けられた噴射ノズル３３と、上記した給湯器２６及び圧送ポンプ２７とから構成されている。噴射ノズル３３は小浴槽４内に嵌入される車椅子２の座席部２ａ上に位置する入浴者Ａの臀部に向けて設けられており、噴射ノズル３３と圧送ポンプ２７とは図示せぬ給湯配管を介して接続されている。
【００１９】
また、小浴槽内バブル機構３２は、小浴槽４の底部１５上に配置された有孔パイプ状の噴射管３４と、エアを送り出すブロア３５とから構成されており、噴射管３４とブロア３５とは接続エア管３６を介して接続されている。噴射管３４は小浴槽４の底部１５の中央で前後方向に延在されており、噴射管３４に形成された複数の孔からそれぞれエアが噴射される。接続エア管３６は、小浴槽４の側端部１８を貫通する貫通管３６ａと、フレキシブルに変形可能なフレキシブル管３６ｂとから構成されている。
【００２０】
図１、図３、図４に示すように、回転機構８は、前後方向に往復移動するシリンダー３７と、小浴槽４が回転自在に支持する回転支持材３８とから構成されている。シリンダー３７は、シリンダー本体３７ａとピストン３７ｂとからなり、小浴槽４の両側方にそれぞれ配置されている。シリンダー本体３７ａは浴槽３の後壁部１０内に配置されており、シリンダー本体３７ａの基端は浴槽３の後壁部１０内で基台１３上に立設された支柱３９に回転自在に取り付けられている。ピストン３７ｂは後壁部１０の内側面に形成された長孔４０に挿通されており、ピストン３７ｂの先端は小浴槽４の側端部１８の外側面に固定された固定部４１に回転自在に取り付けられている。また、シリンダー３７は操作部２９に電気的に接続されており、操作部２９によって操作される。
【００２１】
回転支持材３８は、支柱３９の上端から後壁部１０の内側面を貫通して浴槽３内に張り出された板状のアーム材４２と、アーム材４２の先端に設けられた回転軸４３とから構成されており、小浴槽４の両側方且つシリンダー３７の上方にそれぞれ配置されている。アーム材４２の先端は、側端部１８の外側面に回転軸４３を介して回転自在に取り付けられており、小浴槽４は回転支持材３８によって鉛直方向に回転自在に挟持されている。
【００２２】
また、図１、図４に示すように、車椅子２は入浴用のものであり、車椅子２の座席部２ａは前端から片持支持されており、座席部２ａの後端下方にはフレームが存在しない。また、座席部２ａの中央には開口部２ｂが形成されており、入浴者Ａの臀部及び大腿部の裏側の一部は座席部２ａに接触されていない。
【００２３】
次に、上記した構成からなる入浴装置１の使用方法について説明する。
【００２４】
まず、図２に示すように、入浴装置１の中に車椅子２に着座した入浴者Ａを移動させ、入浴装置１内に入浴者Ａを配置する。具体的には、浴槽３の前壁部９及び上蓋部１２をそれぞれ開いておき、入浴者Ａが着座している車椅子２を入浴装置１の前方から後退させて浴槽３内に移動させる。このとき、図５に示すように、操作部２９によって回転機構８を作動させて小浴槽４を前方に傾斜させておくとともに、カラン３０の先端を上向きにしておく。そして、車椅子２が浴槽３内の所定の位置に配置された後に、浴槽３の前壁部９及び上蓋部１２をそれぞれ閉じるとともに、回転機構８を作動させて回転軸４３を軸に小浴槽４を後方に回転させて水平状態にし、小浴槽４の前端部１６に形成された欠き込み部１６ａを車椅子２の座席部２ａに噛み合わせる。このとき、欠き込み部１６ａと座席部２ａとはシール材２４によって密着されるとともに、座席部２ａの底面は緩衝材２３にそれぞれ密着される。
【００２５】
次に、回転機構８を作動させて回転軸４３を軸に小浴槽４を後方に回転させ、小浴槽４に嵌合された車椅子２を後方に傾斜させ、車椅子２に着座している入浴者Ａの身体を仰向けに倒す。このとき、車椅子２の前輪２ｃは床面Ｓから離れて浮いた状態となるが、車椅子２の後輪２ｄは床面Ｓ上を前方に向かって走行し、床面Ｓに接した状態となっており、入浴者Ａ及び車椅子２の重量は小浴槽４と車椅子２の後輪２ｄとに分散して負担されている。
【００２６】
次に、シャワー機構５、洗流手段７及び湯溜め手段６により入浴者Ａを入浴させる。具体的には、入浴者Ａの胸部、背中部、腹部、腕部及び大腿部の裏側以外の脚部をシャワー機構５によって洗い流し、入浴者Ａの臀部及び大腿部の裏側を小浴槽内暗流機構３１と小浴槽内バブル機構３２とからなる洗流手段７及び湯溜め手段６によって洗い流す。
【００２７】
シャワー機構５により入浴者Ａの胸部、背中部、腹部、腕部及び大腿部の裏側以外の脚部を洗い流す場合、まず、操作部２９を操作して給湯器２６及び圧送ポンプ２７をそれぞれ作動させる。そして、給湯器２６で供給された水を加熱し、給湯器２６で加熱された湯を接続管２８を介して圧送ポンプ２７に送り、圧送ポンプ２７から図示せぬ給湯配管に湯を圧送し、圧送された湯を複数の噴射ノズル２５からそれぞれ噴射させる。これら複数の噴射ノズル２５から噴射する湯（シャワー）を、入浴者Ａの胸部、背中部、腹部、腕部及び大腿部の裏側以外の脚部にそれぞれ浴びせる。
【００２８】
一方、洗流手段７及び湯溜め手段６により入浴者Ａの臀部及び大腿部の裏側を洗い流す場合、まず、湯溜め手段６により、後方に傾斜した小浴槽４の中に湯を供給して小浴槽４内に湯を溜める。具体的には、上向きにしてあるカラン３０の先端を回転させて下向きにして小浴槽４の方向に向ける。そして、給湯器２６で加熱された湯を図示せぬ給湯配管を介してカラン３０に供給し、カラン３０の先端から小浴槽４内に湯を放出する。このとき、排水溝１９に形成された排水孔２０は図示せぬ栓で塞いでおく。小浴槽４内には湯が溜まり、小浴槽４内に配置された入浴者Ａの臀部及び大腿部の裏側は湯に浸かる。
【００２９】
次に、小浴槽内暗流機構３１を作動させるとともに小浴槽内バブル機構３２を作動させ、小浴槽４内に配置された入浴者Ａの臀部及び大腿部の裏側を洗い流す。具体的には、ブロア３５を起動させて、ブロア３５から接続エア管３６を介して噴射管３４にエアを送り、噴射管３４から湯が溜められた小浴槽４内にエアを噴射させて小浴槽４内にバブルを発生させる。また、上記のようにバブルを発生させると共に、給湯器２６で加熱された湯を圧送ポンプ２７によって小浴槽４内に設けられた噴射ノズル３３に圧送し、噴射ノズル３３から湯が溜められた小浴槽４内に湯を噴射させて小浴槽４内に暗流を発生させる。小浴槽４内に発生したバブル及び暗流は、小浴槽４内に配置された入浴者Ａの臀部及び大腿部の裏側を洗い流す。
【００３０】
次に、排水孔２０を塞いでいる図示せぬ栓を抜き、小浴槽４内に溜められた湯を排水孔２０から排水管２２を介して床面Ｓ上の排水側溝４４に流出させて排水する。そして、排水孔２０を図示せぬ栓によって再度塞ぎ、上記した湯溜め手段６により再度小浴槽４内に湯を溜め、上記した洗流手段７により再度洗い流す。この手順を繰り返し、入浴者Ａの臀部及び大腿部の裏側をきれいに洗い流す。
【００３１】
上記した構成からなる入浴装置１によれば、浴槽３内には小浴槽４が備えられ、車椅子２の座席部２ａが小浴槽４内に嵌入されるため、座席部２ａ上に配置された入浴者Ａの臀部及び大腿部の裏側は小浴槽４内に配置される。これによって、上から浴びせるシャワー機構５による噴射する湯では洗い流すことが困難な入浴者の臀部及び大腿部の裏側を入浴させることができる。
【００３２】
また、入浴装置１には小浴槽４の中に湯を供給する湯溜め手段６が備えられているため、入浴者Ａの臀部及び大腿部の裏側が配置されている小浴槽４内に湯が溜められ、入浴者Ａの臀部及び大腿部の裏側は小浴槽４内の湯に浸けられる。これによって、入浴装置１の外から小浴槽４内に湯を供給させる手間を省略することができる。
【００３３】
また、入浴装置１にはバブル及び暗流を発生させる洗流手段７が備えられているため、小浴槽４内に配置された入浴者Ａの臀部及び大腿部の裏側はバブル及び暗流によって洗い流される。これによって、入浴者Ａの臀部及び大腿部の裏側は効果的にきれいに洗い流すことができる。
【００３４】
また、入浴装置１には小浴槽４を鉛直方向に回転させる回転機構８が備えられているため、小浴槽４が回転して後方に傾斜することで、小浴槽４に嵌合されている車椅子２の座席部２ａは傾斜され、車椅子２に着座している入浴者Ａの身体は傾き、入浴者Ａは浴槽３内で仰向け状態となる。これによって、入浴者Ａを仰向けの状態で入浴させることができる。
【００３５】
また、小浴槽４の前端部１６には、凹状の欠き込み部１６ａが形成されているため、小浴槽４内に座席部２ａが嵌入された際には、欠き込み部１６ａと座席部２ａの前端とが噛合される。これによって、小浴槽４と座席部２ａとを確実に嵌合させることができる。また、欠き込み部１６ａにはシール材２４が形成され、小浴槽４の底部１５には緩衝材２３が形成されているため、座席部２ａが小浴槽４上を滑ることを防止することができる。また、欠き込み部１６ａと座席部２ａとの間に介在されたシール材２４によって、小浴槽４内に湯を溜めたときの漏水を防止することができる。
【００３６】
また、小浴槽４の後端部１７は前端部１６より高く形成され、側端部１８の上端は底部１５に対して前方に傾斜されて形成されているため、小浴槽４が後方に回転して傾斜することで、前端部１６と後端部１７との上端が同じ高さとなるとともに側端部１８の上端は水平となる。これによって、後方に傾斜した小浴槽４内には湯を一杯に溜めることができ、入浴者Ａの臀部を湯が溜められた小浴槽４内の深い箇所に配置することができる。
【００３７】
以上、本発明に係る入浴装置の実施の形態について説明したが、本発明は上記した実施の形態に限定されるものではなく、その趣旨を逸脱しない範囲で適宜変更可能である。例えば、上記した実施の形態では、洗流手段７は小浴槽内暗流機構３１及び小浴槽内バブル機構３２から構成されているが、本発明は、小浴槽内暗流機構３１又は小浴槽内バブル機構３２の何れか一方に代え、或いは小浴槽内暗流機構３１及び小浴槽内バブル機構３２に加えて、小浴槽内超音波機構を設けてもよい。小浴槽内超音波機構によって、小浴槽４内に溜められた湯を振動させ、小浴槽４内に配置された入浴者Ａの臀部及び大腿部の裏側を洗い流してもよい。
【００３８】
また、上記した実施の形態では、湯溜め手段６は浴槽３の後壁部１０に設けられているが、本発明は、湯溜め手段６を小浴槽４に設けてもよい。これによって、小浴槽４が回転することによって干渉する問題も解消され、小浴槽４の角度に関係なく小浴槽４内に湯を放出することができる。
【図面の簡単な説明】
【００３９】
【図１】本発明に係る入浴装置の実施の形態を表す断面図である。
【図２】本発明に係る入浴装置の実施の形態を表す平面図である。
【図３】本発明に係る入浴装置の実施の形態における小浴槽を表す斜視図である。
【図４】本発明に係る入浴装置の実施の形態を表す平断面図である。
【図５】本発明に係る入浴装置の実施の形態を表す断面図である。
【符号の説明】
【００４０】
１  入浴装置
２  車椅子
２ａ  座席部
３  浴槽
４  小浴槽
６  湯溜め手段
７  洗流手段
８  回転機構
１６  前端部
１６ａ  欠き込み部
Ａ  入浴者
【図１】
2005111047.tif 000003
【図２】
2005111047.tif 000004
【図３】
2005111047.tif 000005
【図４】
2005111047.tif 000006
【図５】
2005111047.tif 000007